(57)【特許請求の範囲】
【請求項１】
一端がジャックに差し込まれる箱体部と、
前記箱体部の一面の前記一端側の部位を基端とし、前記箱体部の他端側に向かって前記箱体部から遠ざかるように突出する形状に形成されたラッチ部であって、前記箱体部の前記他端側を向くように形成されて前記ジャックの内壁と係合するラッチ面を有するラッチ部と、
前記ラッチ部の突出方向端部から前記箱体部の他端に向かって延び、先端が前記箱体部の一面側へ移動すると前記ラッチ面と前記ジャックとの係合を解除するレバー部と、を備え、
前記レバー部は、当該レバー部の一方の板面を前記箱体部の一面に向けた平板状に形成され、
前記レバー部は、前記箱体部の一面と略平行であり、
前記箱体部の一面に、前記レバー部の先端が前記箱体部の一面側へ移動した際に前記箱体部の一面から突出しないよう前記レバー部の先端を受容する凹部が形成され、
前記凹部は、前記箱体部の一端側から他端側に向かう方向に沿って延在し、
前記凹部の幅寸法は、前記凹部の幅方向における前記レバー部の先端の寸法よりも大きく、且つ、前記凹部の幅方向における前記ラッチ部の寸法よりも小さく、
前記ラッチ面は、前記ラッチ部の突出方向端面に、前記レバー部の基端に隣接して形成され、且つ、当該ラッチ面は前記凹部の幅方向にて前記凹部の外側に張り出し、
前記箱体部の一面は、前記凹部の幅方向における寸法が、前記ラッチ部のそれよりも大きく、
前記凹部は、前記箱体部の一面において、前記凹部の幅方向にて前記ラッチ部に隣接する部位よりも、前記箱体部の一面に対する反対側の面の方に向けて凹んでいることを特徴とする通信用プラグ。
【請求項２】
前記レバー部の前記一方の板面において、前記箱体部の他端側の部位は、前記レバー部の先端方向へ向かって前記箱体部の一面から遠ざかるように傾斜していることを特徴とする請求項１に記載の通信用プラグ。
【請求項３】
前記箱体部は、一端がジャックに差し込まれる略箱状のプラグ本体を有し、
前記凹部が前記プラグ本体に形成されることを特徴とする請求項１または２に記載の通信用プラグ。
【請求項４】
前記箱体部は、一端がジャックに差し込まれる略箱状のプラグ本体と、前記プラグ本体の他端に接続されるブーツ部と、を有し、
前記凹部が前記プラグ本体と前記ブーツ部の少なくとも一方に形成されることを特徴とする請求項１または２に記載の通信用プラグ。
【請求項５】
前記レバー部の前記箱体部からの突出量が、前記ラッチ部の突出量と同じ若しくは前記ラッチ部の突出量より少ないことを特徴とする請求項１から４のいずれか一項に記載の通信用プラグ。
【請求項６】
前記箱体部の一面の他端側に立設され、前記レバー部の先端を前記箱体部の他端側から覆う壁部を備え、
前記壁部に孔部が形成されていることにより、当該通信用プラグを前記箱体部の他端側から見たときに、前記壁部と、前記ラッチ部及び前記レバー部と、が重ならないようになっていることを特徴とする請求項１から５のいずれか一項に記載の通信用プラグ。
【発明の詳細な説明】
【技術分野】
【０００１】
本発明は、ジャックに接続される通信用プラグに関する。
【背景技術】
【０００２】
従来から、モジュラープラグ、ＬＣ型コネクタ等の通信用プラグとして、ジャックに差し込まれる箱体部と、箱体部と連続的に形成されジャックと係合するラッチ部と、を備えたものが一般的である。箱体部としては、ジャックに差し込まれる略箱状のプラグ本体のみからなるものと、プラグ本体に加えてプラグ本体の他端側に接続されるブーツ部を有するものが知られている。ラッチ部には連続的にレバー部が形成されており、レバー部の先端を箱体部側へ移動させることにより、ラッチ部とジャックとの係合が解除される。この種の通信用プラグでは、レバー部の先端が箱体部と離隔しているので、周囲のケーブル等の他の物体がレバー部に引っ掛かりやすいという問題点がある。
【０００３】
この問題点を解消すべく、レバー部の先端を箱体部側へ向かって延長して箱体部と当接させたモジュラープラグが知られている（例えば、特許文献１参照）。レバー部の中央側は箱体部から離隔しており、レバー部の中央側の部分を箱体部側へ移動させることにより、係合が解除されるようになっている。このモジュラープラグでは、レバー部の先端と箱体部が近接していることから、他の物体のレバー部への引っ掛かりが抑制される。
【特許文献１】特開平１１−４０２４９号公報
【発明の開示】
【発明が解決しようとする課題】
【０００４】
しかしながら、特許文献１に記載のモジュラープラグでは、レバー部の中央側が箱体部と反対側に比較的大きく突出しているので、プラグ全体が大型となるという課題がある。また、レバー部が箱体部と比較的大きく離隔しているので、比較的大きな操作力が必要となるし、操作時にレバー部が上面から突出した状態となって作業者は違和感を与えるという課題もある。
【０００５】
本発明は、前記事情に鑑みてなされたものであり、その目的とするところは、レバー部の先端への周辺部品等の引っ掛かりを抑制しつつ小型化を図るとともに、レバー部の操作性を向上させることのできる通信用プラグを提供することにある。
【課題を解決するための手段】
【０００６】
本発明によれば、
一端がジャックに差し込まれる箱体部と、
前記箱体部の一面の前記一端側の部位を基端とし、前記箱体部の他端側に向かって前記箱体部から遠ざかるように突出する形状に形成されたラッチ部であって、前記箱体部の前記他端側を向くように形成されて前記ジャックの内壁と係合するラッチ面を有するラッチ部と、
前記ラッチ部の突出方向端部から前記箱体部の他端に向かって延び、先端が前記箱体部の一面側へ移動すると前記ラッチ面と前記ジャックとの係合を解除するレバー部と、を備え、
前記レバー部は、当該レバー部の一方の板面を前記箱体部の一面に向けた平板状に形成され、
前記レバー部は、前記箱体部の一面と略平行であり、
前記箱体部の一面に、前記レバー部の先端が前記箱体部の一面側へ移動した際に前記箱体部の一面から突出しないよう前記レバー部の先端を受容する凹部が形成され、
前記凹部は、前記箱体部の一端側から他端側に向かう方向に沿って延在し、
前記凹部の幅寸法は、前記凹部の幅方向における前記レバー部の先端の寸法よりも大きく、且つ、前記凹部の幅方向における前記ラッチ部の寸法よりも小さく、
前記ラッチ面は、前記ラッチ部の突出方向端面に、前記レバー部の基端に隣接して形成され、且つ、当該ラッチ面は前記凹部の幅方向にて前記凹部の外側に張り出し、
前記箱体部の一面は、前記凹部の幅方向における寸法が、前記ラッチ部のそれよりも大きく、
前記凹部は、前記箱体部の一面において、前記凹部の幅方向にて前記ラッチ部に隣接する部位よりも、前記箱体部の一面に対する反対側の面の方に向けて凹んでいることを特徴とする通信用プラグが提供される。
【０００７】
この通信用プラグでは、レバー部は、先端が箱体部の凹部と接触するまで移動することが可能である。このように、箱体部の凹部内にてレバー部が移動可能なことから、レバー部を箱体部から大きく離隔させることなく、ラッチ部とジャックの係合解除動作に必要なストロークが確保される。これにより、レバー部を箱体部に近接させることができる。
そして、レバー部が箱体部に近接した分だけ、レバー部を箱体部側に押し込む係合解除の操作が簡単となる。さらに、レバー部の先端が箱体部の一面側へ移動すると凹部に受容されて箱体部から突出せず、作業者はレバー部を箱体部側に押圧した際に、レバー部が箱体部の一面から上側へ突出することによる違和感を感じることはない。
また、この通信用プラグでは、レバー部が箱体部の一面と略平行であることから、レバー部を箱体部の一面に沿って配することができ、レバー部の先端における周辺部品等の引っ掛かりを抑制することができる。従って、レバー部が先端に向かって箱体部の一面から離隔する従来のもののように、レバー部が周辺部品等と引っ掛かり易いということはない。
【０００８】
また、上記通信用プラグにおいて、
前記箱体部は、一端がジャックに差し込まれる略箱状のプラグ本体を有し、
前記凹部が前記プラグ本体に形成される構成としてもよい。
【０００９】
また、上記通信用プラグにおいて、
前記箱体部は、一端がジャックに差し込まれる略箱状のプラグ本体と、前記プラグ本体の他端に接続されるブーツ部と、を有し、
前記凹部が前記プラグ本体と前記ブーツ部の少なくとも一方に形成される構成としてもよい。
【００１２】
また、上記通信用プラグにおいて、
前記レバー部の前記箱体部からの突出量が、前記ラッチ部の突出量と同じ若しくは前記ラッチ部の突出量より少ない構成が好ましい。
【００１３】
この通信用プラグでは、ラッチ部の箱体部からの突出量は、差し込まれるジャック等によってほぼ定まることから、レバー部及びラッチ部の箱体部からの突出量を、プラグとしての機能を確保する最低限の寸法とすることができる。
【００１４】
また、上記通信用プラグにおいて、
前記箱体部の一面の他端側に立設され、前記レバー部の先端を前記箱体部の他端側から覆う壁部を備え、
前記壁部に孔部が形成されていることにより、当該通信用プラグを前記箱体部の他端側から見たときに、前記壁部と、前記ラッチ部及び前記レバー部と、が重ならないようになっている構成とすることができる。
【００１５】
この通信用プラグでは、周辺部品等が箱体部の他端側からレバー部の先端に接近した際に、壁部により周辺部品等のレバー部への接触が阻止される。これにより、周辺部品等のレバー部への引っ掛かりを確実に阻止することができる。
【発明の効果】
【００１６】
本発明の通信用プラグによれば、レバー部を箱体部に近接させることができるので、レバー部の先端への周辺部品等の引っ掛かりを抑制するとともに小型化を図ることができる。また、係合解除時におけるレバー部の操作性が向上するし、操作フィーリングも良好である。
【発明を実施するための最良の形態】
【００１７】
図面を参照しつつ、本発明の通信用プラグの好適な実施形態について詳細に説明する。尚、図面の説明においては、同一要素には同一符号を付し、重複する説明を省略する。
【００１８】
図１から図６は本発明の第１の実施形態を示すものであって、図１は通信用プラグの外観斜視図、図２は通信用プラグの右側面図、図３は通信用プラグの平面図、図４は通信用プラグの正面図、図５は通信用プラグの底面図、図６は通信用プラグの背面図である。尚、左側面図は右側面図と対称に現れる。
【００１９】
通信用プラグ１００は「モジュラープラグ」と称されているものであり、ケーブル（図示せず）の端部に設けられ、モジュラージャック（図示せず）と係脱自在に接続される。図１に示すように、通信用プラグ１００は一端がジャックに差し込まれる箱体部を備えており、箱体部は一端がジャックに差し込まれる略箱状のプラグ本体１１０を有している。
また、通信用プラグ１００は、プラグ本体１１０の一面に形成されジャックの内壁と係合するラッチ部１２０と、ラッチ部１２０からプラグ本体１１０の他端に向かって延びるレバー部１３０と、を備えている。これより、説明の便宜のために、プラグ本体１１０の一端及び他端を前端及び後端とし、プラグ本体１１０の一面が上面であるとして説明していく。
【００２０】
この通信用プラグ１００は、前後に２分割される金型により成形される。すなわち、プラグ本体１１０、ラッチ部１２０及びレバー部１３０は、一体に成形された樹脂からなる。図２に示すように、ラッチ部１２０は、プラグ本体１１０の上面１１２の前端に、後方上側に向かって突出するよう形成される。レバー部１３０は、ラッチ部１２０の後端から連続的に略後方へ延びるよう形成される。
【００２１】
図３に示すように、ラッチ部１２０は、プラグ本体１１０よりも左右寸法が短く形成され、プラグ本体１１０の前面から前方へ突出している。図４に示すように、プラグ本体１１０の前面下部には上下に延びる８つの溝１１４が左右に並んで形成されている。図５に示すように、この溝１１４は、下面前部に連続的に形成され、下面においては前後に延びる。各溝１１４には金属製の端子部が収容され、プラグ本体１１０の前端がジャックに差し込まれると、ジャック側の端子部と電気的に接続される。
【００２２】
また、プラグ本体１１０の下面は、後部側が他部に比して下方へ突出するよう段状に形成される。この段状部分にプラグ本体１１０の内側と連通する孔１１６が形成されている。プラグ本体１１０の後面は開口され、ケーブルが内部に差し入れられるよう構成される。図５に示すように、孔１１６にはケーブルと係合するための係合片１１８が配される。係合片１１８は、プラグ本体１１０の下面と連続的に形成されている。
【００２３】
図６に示すように、プラグ本体１１０の上面１１２には、レバー部１３０の先端がプラグ本体１１０の上面１１２側へ移動した際に、レバー部１３０の先端を受容する凹部１４０が形成される。凹部１４０は、断面矩形状に形成され（図６参照）、ラッチ部１２０の基端部の近傍から後端へわたって直線状に延びるよう形成される（図３参照）。
【００２４】
ラッチ部１２０は、プラグ本体１１０がジャックに差し入れられる際に、ジャックの上部内壁に突出形成され板面を前後に向けた板部の下端と摺接する。ここで、ラッチ部１２０は、後方上側へ向かって傾斜するよう形成されていることから、差し入れられるにつれてプラグ本体１１０側へ弾性変形していく。そして、ラッチ部１２０の後端の最高点１２２が板部を乗り越えると、ラッチ部１２０が自然の状態に復帰し、ラッチ部１２０の後面が板部と係合して、プラグ本体１１０の後方への移動がロックされる。本実施形態においては、ラッチ部１２０は、上下方向について、プラグ本体１１０側がレバー部１３０側に比して薄くなっている。これによれば、ラッチ部１２０の曲げ剛性は基端側の方が大きくなり、弾性変形する際に基端側の変形が促進され、レバー部１３０の先端の移動量を大きくすることができる。
【００２５】
ここで、本実施形態の通信用プラグ１００では、レバー部１３０のプラグ本体１１０からの突出量が、ラッチ部１２０の突出量と同じとなっている。そして、ラッチ部１２０のプラグ本体１１０からの突出量は、差し込まれるジャック等によってほぼ定まることから、レバー部１３０及びラッチ部１２０のプラグ本体１１０からの突出量が、プラグとしての機能を確保する最低限の寸法となっている。
【００２６】
レバー部１３０の先端をプラグ本体１１０の一面側（本実施形態では上面１１２側）へ移動するとラッチ部１２０とジャックとの係合が解除される。図３に示すように、レバー部１３０は、ラッチ部１２０よりも左右寸法が短く形成され、後方へ向かって延びている。レバー部１３０は、前後にわたって左右寸法が一定で、一方の板面（本実施形態では下面１３２）をプラグ本体１１０の上面１１２に向けた平板状に形成されている。本実施形態においては、レバー部１３０は、プラグ本体１１０の上面１１２と略平行となっている。
【００２７】
レバー部１３０におけるプラグ本体１１０側の面（下面１３２）の先端側は、先端方向へ向かってプラグ本体１１０と反対側（上側）に傾斜している。すなわち、図２に示すように、レバー部１３０は、後端へ向かって厚みが薄くなるよう形成されている。
【００２８】
以上のように構成された通信用プラグ１００では、作業者は、レバー部１３０の上面１３４を指等で押圧することにより先端をプラグ本体１１０側に移動させ、ラッチ部１２０とジャックの係合を解除することができる。ここで、レバー部１３０は、先端がプラグ本体１１０の凹部１４０と接触するまで移動することが可能である。このように、プラグ本体１１０の凹部１４０内にてレバー部１３０が移動可能なことから、レバー部１３０をプラグ本体１１０から大きく離隔させることなく、ラッチ部１２０とジャックの係合解除動作に必要なストロークが確保される。これにより、レバー部１３０をプラグ本体１１０に近接させることができるようになっている。
【００２９】
本実施形態の通信用プラグ１００では、レバー部１３０における下面１３２の先端側が傾斜していることから、レバー部１３０の先端がプラグ本体１１０の凹部１４０と接触するまでの距離を大きくすることができる。これにより、レバー部１３０の可動範囲を大きくすることができ、レバー部１３０をプラグ本体１１０と効率よく近接させることができる。
【００３０】
そして、レバー部１３０がプラグ本体１１０に近接した分だけ、レバー部１３０をプラグ本体１１０側に押し込む係合解除の操作が簡単となる。さらに、レバー部１３０の先端がプラグ本体１１０の上面１１２側へ移動すると凹部１４０に受容されてプラグ本体１１０から突出せず、作業者はレバー部１３０をプラグ本体１１０側に押圧した際に、レバー部１３０が上面１１２から上側へ突出することによる違和感を感じることはない。
【００３１】
このように、本実施形態の通信用プラグ１００によれば、レバー部１３０をプラグ本体１１０に近接させることができるので、レバー部１３０の先端への周辺部品等の引っ掛かりを抑制するとともに小型化を図ることができる。また、係合解除時におけるレバー部１３０の操作性が向上するし、操作フィーリングも良好である。
【００３２】
また、本実施形態の通信用プラグ１００によれば、レバー部１３０がプラグ本体１１０の上面１１２と略平行であることから、レバー部１３０をプラグ本体１１０の上面１１２に沿って配することができ、レバー部１３０の先端における周辺部品等の引っ掛かりを抑制することができる。従って、レバー部１３０が先端に向かってプラグ本体１１０の上面１１２から離隔する従来のもののように、レバー部１３０が周辺部品等と引っ掛かり易いということはない。
【００３３】
図７及び図８は本発明の第２の実施形態を示すもので、図７は通信用プラグの外観斜視図、図８は通信用プラグの右側面図である。第２の実施形態の通信用プラグは、ラッチ部及びレバー部の構成が第１の実施形態と異なっている。その他の構成は第１の実施形態と同様である。
【００３４】
図７に示すように、本実施形態においても、レバー部２３０のプラグ本体１１０からの突出量が、ラッチ部２２０の突出量と同じとなっている。この通信用プラグ２００においても、前後に２分割される金型により成形される。すなわち、プラグ本体１１０、ラッチ部２２０及びレバー部２３０は、一体に成形された樹脂からなる。
【００３５】
この通信用プラグ２００のラッチ部２２０は、後方へ突出する左右一対の突起２２４が後面に形成されている。本実施形態においては、各突起２２４は、レバー部２３０の幅方向外側に配されている。図８に示すように各突起２２４は、ラッチ部２２０の後面下部に形成されており、ラッチ部２２０がジャックと係合すると、前述のジャックの板部の下面と当接する。これにより、ラッチ部２２０の後端の最高点２２２が板部を乗り越えて、ラッチ部２２０が自然の状態に復帰する際に、各突起２２４が板部の下面と衝突する。従って、各突起２２４と板部との衝突により、ジャックと係合したことを報知する「カチッ」という音と操作感が増幅されるようになっている。
【００３６】
図８に示すように、レバー部２３０は、前後にわたって左右寸法が一定で、一方の板面（本実施形態では下面２３２）をプラグ本体１１０の上面１１２に向けた平板状に形成されている。本実施形態においても、レバー部２３０は、プラグ本体１１０の上面１１２と略平行となっている。また、レバー部２３０は、プラグ本体１１０と反対側の面（上面２３４）が中央側が基端及び先端より凹むよう形成されている。さらに、レバー部２３０におけるプラグ本体１１０側の面（下面２３２）の先端側は、先端方向へ向かってプラグ本体１１０と反対側（上側）に傾斜している。
【００３７】
以上のように構成された通信用プラグ２００では、第１の実施形態の作用効果に加え、レバー部２３０の上面２３４で中央側が凹んでいるので、作業者は中央側に指を引っ掛けやすく、操作性がさらに向上する。ここで、レバー部２３０の先端を凹部１４０に受容させると、レバー部２３０は、プラグ本体１１０の上面１１２に対して傾斜し、基端側が上面１１２から突出して先端が上面１１２から突出しない状態となる。このとき、レバー部２３０における上面２３４では先端より中央側が凹んでいることから、凹んでいる部分については単に平面状に形成されている場合よりも凹部１４０内に収容されやすい。これにより、レバー部２３０の操作量を変化させることなく、レバー部２３０におけるプラグ本体１１０の上面１１２から突出しない部分を大きくすることができる。
【００３８】
図９から図１２は本発明の第３の実施形態を示すもので、図９は通信用プラグの外観斜視図、図１０は通信用プラグの右側面図、図１１は通信用プラグの平面図、図１２は通信用プラグの背面図である。第３の実施形態の通信用プラグは、プラグ本体にレバー部の先端をプラグ本体の他端側から覆うガードを備えた点で第１及び第２の実施形態と構成を異にし、レバー部の構成が第１の実施形態と同様で、プラグ本体、ラッチ部等の構成が第２の実施形態と同様となっている。
【００３９】
図９に示すように、この通信用プラグ３００は、プラグ本体１１０の上面１１２の後端側に立設され、レバー部１３０の先端をプラグ本体１１０の後端側から覆う壁部３５０を備えている。図１０に示すように、壁部３５０は、プラグ本体１１０の上面１１２の後端から斜め前方へ突出する傾斜部３５２と、傾斜部３５２の上端から略水平に前方へ延びる水平部３５４と、を有している。図１０に示すように、水平部３５４は、レバー部１３０より高い位置に形成されている。図１１に示すように、水平部３５４の前端側とレバー部１３０の後端側は、上面視で重なっている。
【００４０】
図１２に示すように、壁部３５０の傾斜部３５２の基端側は、プラグ本体１１０と左右寸法が同じであり、プラグ本体１１０の左右側面と面一となっている。また、傾斜部３５２の上端側は、上方へ向かって左右寸法が短くなるよう形成されている。
【００４１】
さらに、図１１に示すように、水平部３５４は、前方へ向かって左右寸法が短くなるよう形成される。本実施形態においては、水平部３５４の前端で凹部１４０より左右寸法が短くなっている。また、図１０に示すように、水平部３５４の前端下部には、下方へ突出する突出部３５６が形成される。
【００４２】
また、壁部３５０の傾斜部３５２には、背面視で略四角形状の孔部３５８が形成される。図１２に示すように、背面視にて、ラッチ部２２０及びレバー部１３０と、孔部３５８と、が重なっている。換言すると、背面視にて、ラッチ部２２０及びレバー部１３０と、壁部３５０と、が重ならないようになっている。
【００４３】
本実施形態においては、プラグ本体１１０の後端は、上方へ向かって後方へ傾斜するよう形成されている。すなわち、第１及び第２の実施形態に比して、プラグ本体１１０の上面１１２が後方へ延長されている。
【００４４】
以上のように構成された通信用プラグ３００では、まず、作業者は、壁部３５０の水平部３５４の上面を指等で押圧してレバー部１３０側に移動させ、水平部３５４の突出部３５６のレバー部１３０の上面１３４に当接させる。この状態からさらに水平部３５４を押圧することにより、水平部３５４とレバー部１３０を一体となった状態でプラグ本体１１０側に移動させ、ラッチ部２２０とジャックの係合を解除することができる。
【００４５】
この通信用プラグ３００では、第１の実施形態の作用効果に加え、周辺部品等がプラグ本体１１０の後端側からレバー部１３０の先端に接近した際に、壁部３５０により周辺部品等のレバー部１３０への接触が阻止される。これにより、周辺部品等のレバー部１３０への引っ掛かりを確実に阻止することができる。
【００４６】
また、壁部３５０に孔部３５８を形成したので、ラッチ部２２０及びレバー部１３０と、壁部３５０が上下方向に互い違いとなる形状であっても、製造時に孔部３５８を通じて金型を抜くことができる。これにより、前後２つの金型で成形することができ、生産コストを低減することができる。
【００４７】
また、プラグ本体１１０の上面１１２を後方へ延長し、壁部３５０が前方へ向かって左右方向が短くなるようにしたので、図１１に示すように、上面１１２の左右端部側の上方が広い範囲で解放される。これにより、壁部３５０を設けても、上面１１２の左右端部側を利用してプラグ本体１１０を把持する従来の工具をそのまま使用することができ、実用に際して極めて有利である。
【００４８】
尚、第３の実施形態においては、壁部３５０が傾斜部３５２と水平部３５４とを有するものを示したが、壁部３５０の形状は任意である。例えば、壁部３５０が傾斜部のみからなるようにしてもよい。要は、壁部３５０は、プラグ本体１１０の一面の他端側に立設され、レバー部１３０の先端をプラグ本体１１０の他端側から覆っていればよい。
【００４９】
また、第１から第３の実施形態においては、モジュラープラグに本発明を適用したものを示したが、例えばＬＣコネクタのような他の通信用プラグに本発明を適用可能なことは勿論である。
【００５０】
また、第１から第３の実施形態においては、ラッチ部１２０，２２０の上下方向について、プラグ本体１１０側がレバー部１３０側に比して薄くなっているものを示したが、プラグ本体１１０側からレバー部１３０側にわたってほぼ一定としてもよい。
【００５１】
また、第１から第３の実施形態においては、箱体部がプラグ本体１１０のみからなるものを示したが、例えば図１３に示すように、通信用プラグ４００の箱体部がプラグ本体１１０とプラグ本体１１０の他端に接続されるブーツ部４１０とを有するものであってもよい。この通信用プラグ４００は、凹部４４０がブーツ部４１０の上面４１２に形成されている。これにより、レバー部１３０の先端が箱体部の上面側へ移動した際に、箱体部の上面から突出しないようレバー部１３０の先端が凹部４４０に受容されるようになっている。さらに、凹部がプラグ本体１１０及びブーツ部４１０の両方を跨ぐよう形成されていてもよく、凹部はプラグ本体１１０とブーツ部４１０の少なくとも一方に形成されていればよい。
【００５２】
また、第１から第３の実施形態においては、レバー部１３０，２３０におけるプラグ本体１１０側の面の先端側を傾斜させたものを示したが、平坦に形成したものであってもよいことは勿論である。また、レバー部１３０，２３０のプラグ本体１１０からの突出量が、ラッチ部１２０，２２０の突出量と同じとなっているものを示したが、ラッチ部１２０，２２０の突出量より少なくしてもよい。さらに、レバー部１３０，２３０とプラグ本体１１０の上面１１２とは必ずしも平行でなくともよい。要は、係合解除操作時に、レバー部１３０，２３０の先端が上面１１２から突出しないように凹部１４０が形成されていればよい。また、凹部１４０の形状等についても任意であるし、その他、具体的な細部構造等についても適宜に変更可能であることは勿論である。
【図面の簡単な説明】
【００５３】
【図１】本発明の第１の実施形態を示す通信用プラグの外観斜視図である。
【図２】通信用プラグの右側面図である。
【図３】通信用プラグの平面図である。
【図４】通信用プラグの正面図である。
【図５】通信用プラグの底面図である。
【図６】通信用プラグの背面図である。
【図７】本発明の第２の実施形態を示す通信用プラグの外観斜視図である。
【図８】通信用プラグの右側面図である。
【図９】本発明の第３の実施形態を示す通信用プラグの外観斜視図である。
【図１０】通信用プラグの右側面図である。
【図１１】通信用プラグの平面図である。
【図１２】通信用プラグの背面図である。
【図１３】変形例を示す通信用プラグの外観斜視図である。
【符号の説明】
【００５４】
１００    通信用プラグ
１１０    プラグ本体
１１２    上面
１１４    溝
１１６    孔
１１８    係合片
１２０    ラッチ部
１２２    最高点
１３０    レバー部
１３２    下面
１３４    上面
１４０    凹部
２００    通信用プラグ
２２０    ラッチ部
２２２    最高点
２２４    突起
２３０    レバー部
２３２    下面
２３４    上面
３００    通信用プラグ
３５０    壁部
３５２    基端部
３５２    傾斜部
３５４    水平部
３５６    突出部
３５８    孔部
４００    通信用プラグ
４１０    ブーツ部
４１２    上面
４４０    凹部
【図１】
0004723376.tif 000002
【図２】
0004723376.tif 000003
【図３】
0004723376.tif 000004
【図４】
0004723376.tif 000005
【図５】
0004723376.tif 000006
【図６】
0004723376.tif 000007
【図７】
0004723376.tif 000008
【図８】
0004723376.tif 000009
【図９】
0004723376.tif 000010
【図１０】
0004723376.tif 000011
【図１１】
0004723376.tif 000012
【図１２】
0004723376.tif 000013
【図１３】
0004723376.tif 000014